(57)【要約】【課題】罫引き具において、別体の物差を必要とせず、しかも操作が簡単で寸法も正確に設定できるようにする。【解決手段】木材、石膏ボード等の被罫引き物Ｗに当接面１を当接させて摺動させる当接体２と、該当接体２の前記当接面１に対して出没可能に設けた第１の摺動棹３と、該第１の摺動棹３に設ける第１の刃体４とを備える。摺動棹３の表面に第１の寸法目盛表示部８を長手方向に沿って設ける。当接面１から第１の刃体４までの長さを、第１の摺動棹３に一体に設けた第１の寸法目盛表示部８を目視することで長さの設定ができる。物差などを準備しなくとも簡単に測定作業を行うことができる。【選択図】図１
0003129309.tif 000002
【実用新案登録請求の範囲】
【請求項１】
木材、石膏ボード等の被罫引き物に当接面を当接させて摺動させる当接体と、該当接体の前記当接面に対して出没可能に設けた第１の摺動棹と、該摺動棹に設ける第１の罫引き部とを備えた罫引き具において、前記第１の摺動棹の表面に第１の寸法目盛表示部を長手方向に沿って設けたことを特徴とする罫引き具。
【請求項２】
前記第１の寸法目盛表示部を、前記第１の摺動棹の上面に該第１の摺動棹の先端側を始点としてほぼ全長にわたって設けたことを特徴とする請求項１記載の罫引き具。
【請求項３】
前記第１の摺動棹を前記当接面に対して垂直に摺動して出没可能に設け、前記第１の摺動棹の先端側に前記第１の罫引き部を下向きに突設したことを特徴とする請求項１又は２記載の罫引き具。
【請求項４】
前記第１の摺動棹に沿って第２の摺動棹を摺動自在に設け、該第２の摺動棹は前記当接面に対して出没可能に設けられると共に第２の罫引き部を設け、かつ前記第２の摺動棹に第２の寸法目盛表示部を長手方向に沿って設けたことを特徴とする請求項１〜３のいずれか１項に記載の罫引き具。
【請求項５】
前記第２の寸法目盛表示部を、前記第２の摺動棹における前記第１の摺動棹との非摺動側に、該第２の摺動棹の先端側を始点としてほぼ全長にわたって設けたことを特徴とする請求項４に記載の罫引き具。
【請求項６】
前記第２の摺動棹を前記当接面に対して垂直に摺動して出没可能に設け、前記第２の摺動棹の先端側に前記第２の罫引き部を下向きに突設したことを特徴とする請求項４又は５記載の罫引き具。
【考案の詳細な説明】
【技術分野】
【０００１】
本考案は、木材、石膏ボード等の罫引き具に関するものである。
【背景技術】
【０００２】
従来、この種のものとして木材、石膏ボード等の被罫引き物に案内表面（当接面に相当）を当接させて摺動させる罫引き本体（当接体に相当）と、該罫引き本体の前記案内表面に対して垂直に摺動して出没可能に設けた支持部材（摺動棹に相当）と、該支持部材の先端側に下向きに突設して設ける線引き部材（第１の刃体に相当）とを備えた罫引き具が公知である（例えば、特許文献１）。
【０００３】
そして、罫引き作業を行うときは、当接面から刃体までの長さである罫引きの幅を設定するには、物差を準備しておき、その一端を当接面に当てた状態で摺動棹を伸ばして刃体を物差の所定の寸法位置に配置した後、摺動棹を固定し、そして、当接面を木材、石膏ボード等の端面に当接すると共に、刃体を木材、石膏ボード等に押し付け、当接体を端面に沿って移動することで、端面より所定の間隔をおいた罫書きを刃体により形成することができる。
【特許文献１】実開昭６２−１４４１８１号公報
【考案の開示】
【考案が解決しようとする課題】
【０００４】
しかし、従来の罫書き作業においては、罫引き作業の際に、当接面と刃体との幅を設定するときには罫引き具の他に物差を必要とするので物差をわざわざ準備しておく必要があった。また摺動棹に別体の物差を沿わせて寸法の設定を行わなければならなかったので作業が煩雑になるばかりか、正確に寸法の設定ができなくなるという問題があった。
【０００５】
解決しようとする問題点は、罫引き具において、別体の物差を必要とせず、しかも操作が簡単で寸法も正確に設定できるようにする点である。
【課題を解決するための手段】
【０００６】
請求項１の考案は、木材、石膏ボード等の被罫引き物に当接面を当接させて摺動させる当接体と、該当接体の前記当接面に対して出没可能に設けた第１の摺動棹と、該摺動棹に設ける第１の罫引き部とを備えた罫引き具において、前記第１の摺動棹の表面に第１の寸法目盛表示部を長手方向に沿って設けたことを特徴とする罫引き具である。
【０００７】
請求項２の考案は、前記第１の寸法目盛表示部を、前記第１の摺動棹の上面に該第１の摺動棹の先端側を始点としてほぼ全長にわたって設けたことを特徴とする請求項１記載の罫引き具である。
【０００８】
請求項３の考案は、で前記第１の摺動棹を前記当接面に対して垂直に摺動して出没可能に設け、前記第１の摺動棹の先端側に前記第１の罫引き部を下向きに突設したことを特徴とする請求項又は２記載の罫引き具ある。
【０００９】
請求項４の考案は、前記第１の摺動棹に沿って第２の摺動棹を摺動自在に設け、該第２の摺動棹は前記当接面に対して出没可能に設けられると共に第２の罫引き部を設け、かつ前記第２の摺動棹に第２の寸法目盛表示部を長手方向に沿って設けたことを特徴とする請求項１〜３のいずれか１項に記載の罫引き具である。
【００１０】
請求項５の考案は、前記第２の寸法目盛表示部を、前記第２の摺動棹における前記第１の摺動棹との非摺動側に、該第２の摺動棹の先端側を始点としてほぼ全長にわたって設けたことを特徴とする請求項４に記載の罫引き具である。
【００１１】
請求項６の考案は、で前記第２の摺動棹を前記当接面に対して垂直に摺動して出没可能に設け、前記第２の摺動棹の先端側に前記第２の罫引き部を下向きに突設したことを特徴とする請求項４又は５記載の罫引き具ある。
【考案の効果】
【００１２】
請求項１の考案によれば、当接面から第１の罫引き部までの長さを、第１の摺動棹に一体に設けた第１の寸法目盛表示部を目視することで長さの設定ができる。
【００１３】
請求項２の考案によれば、当接面側と交差する個所の第１の寸法目盛表示部を上方から目視することで長さを簡単に読み取ることができる。
【００１４】
請求項３の考案によれば、当接面と第１の罫引き部との距離を正確に設定することができる。
【００１５】
請求項４の考案によれば、第２の摺動棹に一体に設けた第２の寸法目盛表示部を目視することで長さの設定を行って、第２の罫引き部により、さらなる罫書き線を１台で形成することができる。
【００１６】
請求項５の考案によれば、第２の摺動棹の第２の寸法目盛表示部を第１の摺動棹に邪魔されずに目視することができる。
【００１７】
請求項６の考案によれば、当接面と第２の罫引き部との距離を正確に設定することができる。
【考案を実施するための最良の形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１９】
以下、本考案実施例１を図１を参照して説明する。罫引き具は、木材、石膏ボード等の被罫引き材Ｗに正面側にある平面状の当接面１を当接させて摺動させる当接体２と、前記当接面１に対して垂直に摺動して出没可能に設けた直軸状の摺動棹３と、該摺動棹３の先端側に下向きに突設して設ける第１の罫引き部である先鋭形状をなした第１の刃体４と、前記摺動棹３を前記当接体２に固定する固定手段５とを備えている。実施例では摺動棹３と第１の刃体４とは一体に設けられている。
【００２０】
前記摺動棹３は、当接面１のほぼ中央に形成した貫通孔６に嵌合して摺動自在に設けられている。また、固定手段５は、当接体２の上面にカム状操作体７を中心軸７Ｃを回転中心として起伏自在に設けており、この操作体７の上部７Ａは当接体２の上面上にあらわれており、一方下部７Ｂは、操作体７の回動に伴って摺動棹３の上面に圧接して係止可能に設けられている。尚、符号２Ａは当接体２の背面側に設けられ摺動棹３を摺動案内する摺動案内部材である。
【００２１】
さらに、摺動棹３の表面の上面３Ａに、該摺動棹３の長手方向に沿って第１の寸法目盛表示部８を設ける。この第１の寸法目盛表示部８は、例えば１ｍｍ間隔の目盛部８Ａを並設した物差９を上面に接着等の適宜固定手段により固定したものであり、長さ測定の基準となる始端８Ｂを上面３Ａの先端に配置している。尚、物差９を固定するのではなく、上面３Ａに印刷やシール貼り付けにより寸法目盛表示部８を設けてもよい。
【００２２】
次に前記構成についてその作用を説明する。被罫引き材Ｗに刃傷により罫書き線（切断用溝）を形成するには、予め所定の寸法を当接面１と刃体４との距離で設定を行う。この寸法設定は、目視により当接面１に所定長さ、実施例では４０ｍｍの目盛部８Ａを一致させるように摺動棹３を引き出して行う。このように寸法設定を設定した後に、上部７Ａを摘んで操作体７を下方へ回動するこことで下部７Ｂを物差９、ひいては摺動棹３に当接して該摺動棹３を当接体２に固定するものである。
【００２３】
次に被罫引き材Ｗに当接面１を当てて該当接面１を摺動するように当接体２、ひいては第１の刃体４を摺動させることにより第１の刃体４により罫書き線（切断用溝）Ｌを形成することができる。尚、使用した後は、操作体７を上方へ回動するこことで下部７Ｂを物差９、ひいては摺動棹３より離して該摺動棹３の固定状態を解除するものである。この解除状態で摺動棹３を引き込み、そして必要に応じて固定手段５により固定する。
【００２４】
以上のように、前記実施例では請求項１に対応して木材、石膏ボード等の被罫引き物Ｗに当接面１を当接させて摺動させる当接体２と、該当接体２の前記当接面１に対して出没可能に設けた第１の摺動棹３と、該第１の摺動棹３に設ける第１の刃体４とを備え、前記摺動棹３の表面に第１の寸法目盛表示部８を長手方向に沿って設けたことにより、当接面１から第１の刃体４までの長さを、第１の摺動棹３に一体に設けた第１の寸法目盛表示部８を目視することで長さの設定ができ、別途物差などを準備しなくとも簡単に測定作業を行うことができる。
【００２５】
また、請求項２に対応して前記第１の寸法目盛表示部８を、前記第１の摺動棹３の上面３Ａに該第１の摺動棹３の先端側を始点８Ｂとして該摺動棹３のほぼ全長にわたって設けたことにより、第１の寸法目盛表示部８を上方から目視でき、長さの設定を簡単に行うことができる。また、当接面１側と交差する個所の第１の寸法目盛表示部８を目視することで長さを読み取ることができる。
【００２６】
さらに、請求項３に対応して前記第１の摺動棹３を前記当接面１に対して垂直に摺動して出没可能に設けたことにより、前記第１の摺動棹３の先端側に前記第１の刃体４を下向きに突設したことにより、当接面１と第１の刃体４との距離を正確に設定することができる。
【実施例２】
【００２７】
以下に本考案の他の実施形態を説明する。尚、前記実施例１と同一部分には同一符号を付し、その詳細な説明を省略する。図２及び図３は実施例２を示しており、前記第１の摺動棹３の下面３Ｂに沿って第２の摺動棹９を摺動自在に設ける。第２の摺動棹９は当接面１に対して出没可能に設けられると共に第２の罫引き部である第２の刃体10を設けている。そして、第２の摺動棹９は当接面１に対して垂直に摺動して出没可能に設けられている。第２の刃体10は第２の摺動棹９の先端側に下向きに突設して設けられている。この実施例２では、固定手段５Ａは、上部に摘み11Ａを設けた雄螺子軸11を当接体２の上面より摺動棹３の表面の上面３Ａに向けて当接体２を貫通して、雄螺子軸11の先端を上面３Ａ側に押圧することで、摺動棹３、さらには第２の摺動棹９を固定できるようになっている。
【００２８】
そして、第２の摺動棹９に第２の寸法目盛表示部12を長手方向に沿って設ける。この第２の寸法目盛表示部12は、第２の摺動棹９における第１の摺動棹３との非摺動側、すなわち上面以外の箇所である下面９Ａに、第２の摺動棹９のほぼ全長にわたって、１ｍｍ間隔の目盛部12Ａを並設している。そして、長さ測定の基準となる始端12Ｂを下面９Ａの先端に配置している。
【００２９】
したがって、被罫引き材Ｗに刃傷により２本の罫書き線（切断用溝）を形成するには、予め所定の寸法を当接面１と刃体４、10との距離でそれぞれ設定を行う。この寸法設定は、目視により当接面１に所定長さ、実施例では９３ｍｍに目盛部８Ａを一致させるように摺動棹３を引き出して行う。さらに、目視により当接面１に所定長さ、実施例では４５ｍｍに目盛部12Ａを一致させるように摺動棹９を引き出して行う。このように寸法設定を設定した後に、摘み11Ａを摘んで雄螺子軸11を下方へ螺入するこことで摺動棹３に当接して該摺動棹３，９とを当接体２に固定するものである。
【００３０】
次に被加罫引きＷに当接面１を当てて該当接面１を摺動するように当接体２、ひいては第１の刃体４及び第２の刃体10を摺動させることにより第１の刃体４により罫書き線（切断用溝）Ｌを形成することができ、また第２の刃体10により、罫書き線（切断用溝）Ｌに平行な罫書き線（切断用溝）Ｌ´を形成することができる。
【００３１】
以上のように、前記実施例では請求項４に対応して前記第１の摺動棹３に沿って第２の摺動棹９を摺動自在に設け、該第２の摺動棹９は当接面１に対して出没可能に設けられると共に第２の刃体10を設け、かつ第２の摺動棹９に第２の寸法目盛表示部12を長手方向に沿って設けたことにより、第２の摺動棹９に一体に設けた第２の寸法目盛表示部12を目視することで長さの設定を簡単に行うことができ、第２の罫引き部により、別の罫書き線をも１台で形成することができる。
【００３２】
また、請求項５に対応して前記第２の寸法目盛表示部12を、前記第２の摺動棹９における前記第１の摺動棹３との非摺動側、すなわち第２の摺動棹９の下面９Ａに、該第２の摺動棹９の先端側を始点12Ｂとしてほぼ全長にわたって設けたことにより、第２の寸法目盛表示部12を第１の摺動棹３に邪魔されずに目視することができる。
【００３３】
しかも、請求項６に対応して前記第２の摺動棹９を当接面１に対して垂直に摺動して出没可能に設け、前記第２の摺動棹９の先端側に前記第２の刃体10を下向きに突設したことにより、当接面１と第２の刃体10との距離を正確に設定することができる。
【産業上の利用可能性】
【００３４】
以上のように本考案にかかる罫引き具は、罫引き部を刃体ではなく、墨付け具やペンのような線引き具などでもよいなど、各種の用途に適用できる。
【図面の簡単な説明】
【００３５】
【図１】本考案の実施例１を示す斜視図である。
【図２】本考案の実施例２を示す上方からの斜視図である。
【図３】本考案の実施例２を示す下方からの斜視図である。
【符号の説明】
【００３６】
１ 当接面
２ 当接体
３ 第１の摺動棹
３Ａ  上面
４第１の刃体（罫引き部）
８  第１の寸法目盛表示部
８Ｂ  12Ｂ  始点
９  第２の摺動棹
９Ａ  下面
12  第２の寸法目盛表示部
10  第２の刃体（罫引き部）
【図１】
0003129309.tif 000003
【図２】
0003129309.tif 000004
【図３】
0003129309.tif 000005